(57)【要約】【課題】従来のセクタコピー方式ではコピーできない情報記録媒体および情報記録方法を提供する。【解決手段】情報記録媒体に、セクタアドレスとセクタデータとをセクタ単位で複数のセクタに亘ってユーザデータ領域に記録し、且つ、複数のセクタのセクタアドレスを順次増加傾向にある中で一部重複して付与し、Ｎ度目（但し、Ｎは自然数）に出現した重複セクタアドレス部位に続けて出現するＮ＋１度目の重複セクタアドレス部位はＮ度目の重複セクタアドレス部位中のセクタアドレスを少なくとも２つ以上連番で付与し、さらにＮ度目の重複セクタアドレス部位とＮ＋１度目の重複セクタアドレス部位との間で重複セクタ開始アドレス以外の同一の重複セクタアドレスに対する所定の組のセクタデータが互いに異なり、前記所定の組の互いに異なるセクタデータ以外の同一の重複セクタアドレスに対するセクタデータは互いに同一になるように記録する。【選択図】図１
2007272944.tif 000002
【特許請求の範囲】
【請求項１】
セクタアドレスとセクタデータとがセクタ単位で複数のセクタに亘ってユーザデータ領域に記録され、且つ、前記複数のセクタは前記セクタアドレスが順次増加傾向にある中で一部重複して付与されており、Ｎ度目（但し、Ｎは自然数）に出現した重複セクタアドレス部位に続けて出現するＮ＋１度目の重複セクタアドレス部位は前記Ｎ度目の重複セクタアドレス部位中の前記セクタアドレスが少なくとも２つ以上連番で付与され、さらに前記Ｎ度目の重複セクタアドレス部位と前記Ｎ＋１度目の重複セクタアドレス部位との間で重複セクタ開始アドレス以外の同一の重複セクタアドレスに対する所定の組のセクタデータが互いに異なり、前記所定の組の互いに異なるセクタデータ以外の同一の重複セクタアドレスに対するセクタデータは互いに同一になるように記録された情報記録媒体であって、
前記Ｎ度目の重複セクタアドレス部位に対して前記セクタアドレスが小さい方から前記セクタデータを順に読み取った後、前記Ｎ＋１度目の重複セクタアドレス部位を読み込まず、読み込まなかった前記Ｎ＋１度目の重複セクタアドレス部位よりも前記セクタアドレスが大きい方から前記Ｎ＋１度目の重複セクタアドレス部位の先頭側に向かってサーチし、この後、前記Ｎ＋１度目の重複セクタアドレス部位の先頭側から前記セクタアドレスが大きい方に向かって前記セクタデータを順に読み取るステップを有するセクタ読み取りプログラムを前記ユーザデータ領域とは異なる領域に予め記録したことを特徴とする情報記録媒体。
【請求項２】
情報記録媒体に、セクタアドレスとセクタデータとをセクタ単位で複数のセクタに亘ってユーザデータ領域に記録し、且つ、前記複数のセクタの前記セクタアドレスを順次増加傾向にある中で一部重複して付与し、Ｎ度目（但し、Ｎは自然数）に出現した重複セクタアドレス部位に続けて出現するＮ＋１度目の重複セクタアドレス部位は前記Ｎ度目の重複セクタアドレス部位中の前記セクタアドレスを少なくとも２つ以上連番で付与し、さらに前記Ｎ度目の重複セクタアドレス部位と前記Ｎ＋１度目の重複セクタアドレス部位との間で重複セクタ開始アドレス以外の同一の重複セクタアドレスに対する所定の組のセクタデータが互いに異なり、前記所定の組の互いに異なるセクタデータ以外の同一の重複セクタアドレスに対するセクタデータは互いに同一になるように記録し、
前記Ｎ度目の重複セクタアドレス部位に対して前記セクタアドレスが小さい方から前記セクタデータを順に読み取った後、前記Ｎ＋１度目の重複セクタアドレス部位を読み込まず、読み込まなかった前記Ｎ＋１度目の重複セクタアドレス部位よりも前記セクタアドレスが大きい方から前記Ｎ＋１度目の重複セクタアドレス部位の先頭側に向かってサーチし、この後、前記Ｎ＋１度目の重複セクタアドレス部位の先頭側から前記セクタアドレスが大きい方に向かって前記セクタデータを順に読み取るステップを有するセクタ読み取りプログラムを前記ユーザデータ領域とは異なる領域に予め記録する
ことを特徴とする情報記録方法。
【発明の詳細な説明】
【技術分野】
【０００１】
本発明は、違法コピーを防止できる情報記録媒体および情報記録方法に関する。
【背景技術】
【０００２】
従来、音楽、映像などのデジタルコンテンツやゲーム、コンピュータソフトなどのアプリケーションソフト等を格納した情報記録媒体として、大量生産に適し且つ安価な再生専用型のＣＤ−ＲＯＭ（Compact Disk Read Only Memory）やＤＶＤ−ＲＯＭ（Digital Versatile Disk Read Only Memory）が広く流通している。
【０００３】
これらのＣＤ−ＲＯＭやＤＶＤ−ＲＯＭなどの記録媒体は、透明なディスク基板上にピットと呼ばれる小さなくぼみを設けることにより情報信号を記録する。このピットによる情報信号がディスク基板に螺旋状に配置された記録トラックの内周側から外周側に向かって記録され、ディスク基板上に信号面を形成している。
【０００４】
このようにＣＤ−ＲＯＭやＤＶＤ−ＲＯＭなどの記録媒体に記録された情報信号をＣＤ−ＲＯＭドライブやＤＶＤ−ＲＯＭドライブを用いて再生するときは、ドライブ内に移動自在に設けられた光ピックアップから再生用のレーザビームを透明なディスク基板側から信号面上に照射したときの戻り光の反射率が用いられている。
【０００５】
図６は、再生専用型のＣＤ−ＲＯＭの代表的なフォーマットであるＭｏｄｅ１を適用した場合のセクタ構造を模式的に示す図であり、図７は、従来のＣＤ−ＲＯＭに記録した情報信号のセクタ配列を示す説明図である。
【０００６】
一般的に再生専用型のＣＤ−ＲＯＭに記録した情報信号は、セクタ単位で複数のセクタに亘ってディスク基板上の信号面に記録されている。
【０００７】
Ｍｏｄｅ１を適用した場合には、図６に示すように、１つのセクタにＳＹＮＣ、ＨＥＡＤＥＲ、ＤＡＴＡ、ＥＤＣ／ＥＣＣの４つの領域で構成された２３５２バイトの情報が記録されている。
【０００８】
ＳＹＮＣ領域（１２Ｂ）には、セクタの先頭を示す領域であり、特定のデータ列が記録されている。
【０００９】
また、ＨＥＡＤＥＲ領域（４Ｂ）には、ＡＤＤＲＥＳＳ領域（３Ｂ）とＭＯＤＥ領域（１Ｂ）とからなる。この際、前者のＡＤＤＲＥＳＳ領域は、ディスク基板の内周の記録領域の始端を基点とし、単純増加するセクタアドレスを記録する領域で、その表示方法はＡＤＤＲＥＳＳ値を３値（Ｍｉｎ…分：Ｓｅｃ…秒：Ｂｌｏｃｋ…ブロック番号）で示している。一方、後者のＭＯＤＥ領域は、ＣＤ−ＲＯＭのフォーマット分類、例えばｍｏｄｅ１の場合には“０１”、ｍｏｄｅ２の場合の場合には“０２”のように記録されている。
【００１０】
また、ＤＡＴＡ領域（２，０４８Ｂ）には、ユーザー用の映像信号とか、音声信号とか、コンピータデータ信号などの情報信号（ソフト）が記録されている。
【００１１】
また、ＥＤＣ（Ｅｒｒｏｒ Ｄｅｔｅｃｔｉｏｎ Ｃｏｄｅ）／ＥＣＣ（Ｅｒｒｏｒ Ｃｏｒｒｅｃｔｉｏｎ Ｃｏｄｅ）領域（２８８Ｂ）は、セクタ単位に完結する記録データのエラー検出と、エラー訂正符号とが記録されている。
【００１２】
従来のＣＤ−ＲＯＭにおいて、上記した構造のセクタをディスク基板上で螺旋状の記録トラックに沿って複数記録する場合には、図７に示すように、セクタアドレスがディスク基板の内周のデータ開始点を基準に、外周に向かって単純に増加するように記録されている。例えば、図７ではセクタアドレスがｎ−３，ｎ−２，ｎ−１，ｎ，ｎ＋１，ｎ＋２の順番で付与されている。
【００１３】
そして、このように記録されたＣＤ−ＲＯＭの各セクタをＣＤ−ＲＯＭドライブで再生するときには、ＣＤ−ＲＯＭドライブ内に移動自在に設けた光ピックアップをディスク内周側のセクタアドレスが小さい方からディスク外側に向かってセクタアドレスが順次大きくなる方向に読み取る方法が一般的に行われている。
【００１４】
ところが昨今、このＣＤ−ＲＯＭと同一の記録フォーマットで、ユーザーが１回だけ情報信号を記録できる追記型のＣＤ−Ｒ（Compact Disc-Recordable）が安価に入手可能になっている。
【００１５】
このＣＤ−Ｒに書き込まれた情報は、ＣＤ−ＲＯＭと同様にＣＤ−ＲＯＭドライブで読み出すことができる。
【００１６】
そのため、ＣＤ−ＲにＣＤ−ＲＯＭと同じ状態の情報信号を記録する違法コピーが可能である。
【００１７】
ＣＤ−ＲＯＭをＣＤ−Ｒにコピーする際のコピープログラムの処理を図８のフローチャートを参照して説明する。
【００１８】
まず、光ピックアップが、ＣＤ−ＲＯＭに記録されているコピー対象のデータ（以下、「ユーザデータ」と称する）の開始セクタのセクタアドレスよりも前に移動される（Ｓ１１）。
【００１９】
次に、ユーザデータの開始セクタから終了セクタまで光ピックアップが移動されてセクタデータが読み取られる（Ｓ１２）。
【００２０】
次に、読み取られたセクタデータがセクタアドレスの順番どおりに並べられ保存されることにより、元のユーザデータのセクタ配列でのディスクイメージが完成する（Ｓ１３）。
【００２１】
次に、ＣＤ−Ｒドライブに挿入されたブランクのＣＤ−Ｒメディアに、ステップＳ１２で保存されたセクタデータが順番どおりに送信され、ＣＤ−Ｒにユーザデータが書き込まれる（Ｓ１４）。
【００２２】
このようにＣＤ−ＲＯＭのユーザデータをＣＤ−Ｒにコピー可能であるため、ＣＤ−ＲＯＭのソフトをＣＤ−Ｒに違法コピーして使用する被害が多発している。
【００２３】
この問題を解決するため、違法コピーを防止するための技術が特許文献１に記載されている。
【００２４】
この特許文献１の技術では、ユーザデータをセクタ単位で複数のセクタに亘ってＣＤ−ＲＯＭのディスク基板上の信号面に記録する際に、複数のセクタアドレスの一部が重複した重複セクタ構成をとっている。
【００２５】
特許文献１の技術によりデータが記録されたＣＤ−ＲＯＭにおけるセクタ配置とセクタアドレスとの関係を図９（ａ）を参照して説明する。
【００２６】
図９（ａ）に示すように、複数のセクタは、ディスク内周より外周に向かった螺旋状の記録トラック上で、領域Ｘ部にはセクタアドレスｎ−４，ｎ−３，ｎ−２，ｎ−１，ｎが付与され、領域Ｘ部に続く領域Ｙ部には領域Ｘ部に付与されたセクタアドレスと重複するセクタアドレス ｎ−４，ｎ−３，ｎ−２，ｎ−１，ｎが付与され、さらに、領域Ｙ部に続く領域Ｚ部にはセクタアドレス ｎ＋１，ｎ＋２が付与されている。
【００２７】
ここで、領域Ｘ部に付与されたセクタアドレス ｎ−４からｎまでをＮ度目（但し、Ｎは自然数）に出現した重複セクタアドレス部位とし、領域Ｙ部に付与されたセクタアドレス ｎ−４からｎまでをＮ＋１度目に出現した重複セクタアドレス部位とすると、上記の説明から領域Ｘ部及び領域Ｙ部をディスク内周側に設定した場合に、例えば領域Ｘ部内ではＮ＝１番目の重複セクタアドレス部位が出現し、領域Ｙ部内でＮ＝２番目の重複セクタアドレス部位が出現したことになる。
【００２８】
上記に伴って、各セクタには各セクタデータが記録されており、図９（ｂ）に示すように、例えば、領域Ｘ部のセクタアドレスｎ−４，ｎ−３，………，ｎに対応してセクタデータがＸ−４，Ｘ−３，………，Ｘの内容で記録され、また、領域Ｙ部のセクタアドレス ｎ−４，ｎ−３，………，ｎに対応してセクタデータがＹ−４，Ｙ−３，………，Ｙの内容で記録され、さらに、領域Ｚ部のセクタアドレスｎ＋１，ｎ＋２に対応してセクタデータがＺ＋１，Ｚ＋２の内容で記録されている。この際、重複する各セクタアドレスと対応した各セクタデータはそれぞれ異なる内容であることが違法コピーを防止する上で必要条件である。
【００２９】
このように特許文献１の技術により記録されたＣＤ−ＲＯＭのデータを読み取る際の読み取りプログラムの処理について、図１０のフローチャートを参照して説明する。
【００３０】
まず、光ピックアップが、ＣＤ−ＲＯＭに記録されているユーザデータの開始セクタのセクタアドレスよりも前に移動される（Ｓ２１）。
【００３１】
次に、ユーザデータの開始セクタから終了セクタまで光ピックアップが移動されてセクタデータが読み取られる（Ｓ２２）。
【００３２】
次に、読み取られたセクタデータがセクタアドレスの順番どおりに並べられ保存されるる（Ｓ２３）。ここで、保存されたデータは、重複セクタのカウント値Ｎ（Ｎ＝自然数）が１番目とみなされる。
【００３３】
次に、重複セクタのカウント値がインクリメントされＮ＝２番目の処理に移り（Ｓ２４）、セクタアドレスの後ろから前に向かって重複セクタのセクタアドレスがサーチされる。
【００３４】
サーチにより重複セクタの開始アドレスが得られると、光ピックアップがこの重複セクタの開始アドレスよりも前に移動される（Ｓ２５）。
【００３５】
光ピックアップが移動されて重複セクタのセクタデータが読み取られ、読み取られたセクタデータとセクタアドレスとが対応して保存される（Ｓ２６）。
【００３６】
次に、ステップＳ２３で保存されたＮ＝１番目のセクタデータとステップＳ２５で保存されたＮ＝２番目のセクタデータとが比較される（Ｓ２７）。
【００３７】
その結果、同じセクタアドレスでセクタデータが異なるセクタがあったときには、さらにＮの値がインクリメントされ（Ｓ２７の「YES」）、同じセクタアドレスでセクタデータが異なるセクタがなくなるまでＮの値がインクリメントされてステップＳ２４〜Ｓ２６の処理が繰り返される。
【００３８】
ステップＳ２７において同じセクタアドレスでセクタデータが異なるセクタがないとき（Ｓ２７の「NO」）は、Ｎ番目の重複セクタは存在しないとみなされる。
【００３９】
そして、得られた重複セクタのセクタデータとステップＳ２３で保存されたセクタデータとが並べ替えられ保存されることにより、ディスクイメージが完成する（Ｓ２８）。
【００４０】
以上の読み取りプログラムの処理によって図９のように記録されたセクタデータが読み取られるときの動作を図１１を参照して説明する。
【００４１】
図１１（ａ）において読み取り開始アドレスをｎ−４、読み取り終了アドレスをｎ＋２とすると、Ｎ度目の読み取り処理で得られるセクタアドレスは、図１１（ｂ）に示すように、ｎ−４，ｎ−３，ｎ−２，ｎ−１，ｎ，ｎ＋１，ｎ＋２であり、このセクタアドレスに対応するセクタデータは、Ｘ−４，Ｘ−３，Ｘ−２，Ｘ−１，Ｘ，Ｚ＋１，Ｚ＋２である。
【００４２】
また、Ｎ＋１度目の読み取り処理で得られるセクタアドレスは、図１１（ｃ）に示すように、ｎ−４，ｎ−３，ｎ−２，ｎ−１，ｎ，ｎ＋１，ｎ＋２であり、このセクタアドレスに対応するセクタデータは、Ｙ−４，Ｙ−３，Ｙ−２，Ｙ−１，Ｙ，Ｚ＋１，Ｚ＋２である。
【００４３】
ここで、Ｎ度目とＮ＋１度目の重複セクタのセクタアドレスと対応するセクタデータとを比較すると、セクタアドレスｎ−４〜ｎまでのセクタデータが異なり、ｎ＋１およびｎ＋２のセクタデータが同じであるため、セクタアドレスｎ−４〜ｎのセクタが重複セクタであることが分かる。このようにして、重複セクタを検出することができる。
【００４４】
このように検出された重複セクタ部分のデータと重複セクタ以外のユーザデータを合わせることにより、ＣＤ−ＲＯＭに記録されているデータのディスクイメージが作成され正しく読み出すことが可能になるが、従来のアドレス順に読み取る方法では図９（ａ）のように重複したセクタアドレスを含むＣＤ−ＲＯＭのデータは正しく読み取ることができず、違法コピーを防止することができる。
【００４５】
さらに、このＣＤ−ＲＯＭ重複セクタを読み取るセクタ読み取りプログタムにおいて、重複したセクタアドレスのセクタデータが互いに異なるか否かにより、違法コピーされたデータであるかの真贋の判定が可能になる。
【特許文献１】特許３６６０９１０号公報
【発明の開示】
【発明が解決しようとする課題】
【００４６】
しかし、この特許文献１の技術によりユーザデータが記録されたＣＤ−ＲＯＭは、コピープログラムの進歩に伴い、この技術で用いられる重複セクタ読み取りプログラムを適用して同様の処理を行ってデータを読み取り、ＣＤ−Ｒに書き込むことにより、不正コピーが可能になるという問題が発生している。
【００４７】
本発明は、上記事情に鑑みてなされたものであり、従来のセクタコピー方式ではコピーできない情報記録媒体および情報記録方法を提供することである。
【課題を解決するための手段】
【００４８】
上記目的を達成するための本発明の請求項１に記載の情報記録媒体は、セクタアドレスとセクタデータとがセクタ単位で複数のセクタに亘ってユーザデータ領域に記録され、且つ、複数のセクタはセクタアドレスが順次増加傾向にある中で一部重複して付与されており、Ｎ度目（但し、Ｎは自然数）に出現した重複セクタアドレス部位に続けて出現するＮ＋１度目の重複セクタアドレス部位はＮ度目の重複セクタアドレス部位中のセクタアドレスが少なくとも２つ以上連番で付与され、さらにＮ度目の重複セクタアドレス部位とＮ＋１度目の重複セクタアドレス部位との間で重複セクタ開始アドレス以外の同一の重複セクタアドレスに対する所定の組のセクタデータが互いに異なり、前記所定の組の互いに異なるセクタデータ以外の同一の重複セクタアドレスに対するセクタデータは互いに同一になるように記録されたものであり、Ｎ度目の重複セクタアドレス部位に対してセクタアドレスが小さい方からセクタデータを順に読み取った後、Ｎ＋１度目の重複セクタアドレス部位を読み込まず、読み込まなかったＮ＋１度目の重複セクタアドレス部位よりもセクタアドレスが大きい方からＮ＋１度目の重複セクタアドレス部位の先頭側に向かってサーチし、この後、Ｎ＋１度目の重複セクタアドレス部位の先頭側からセクタアドレスが大きい方に向かってセクタデータを順に読み取るステップを有するセクタ読み取りプログラムをユーザデータ領域とは異なる領域に予め記録したことを特徴とする。
【００４９】
また、請求項２に記載の情報記録方法は、情報記録媒体に、セクタアドレスとセクタデータとをセクタ単位で複数のセクタに亘ってユーザデータ領域に記録し、且つ、複数のセクタのセクタアドレスを順次増加傾向にある中で一部重複して付与し、Ｎ度目（但し、Ｎは自然数）に出現した重複セクタアドレス部位に続けて出現するＮ＋１度目の重複セクタアドレス部位はＮ度目の重複セクタアドレス部位中のセクタアドレスを少なくとも２つ以上連番で付与し、さらにＮ度目の重複セクタアドレス部位とＮ＋１度目の重複セクタアドレス部位との間で重複セクタ開始アドレス以外の同一の重複セクタアドレスに対する所定の組のセクタデータが互いに異なり、前記所定の組の互いに異なるセクタデータ以外の同一の重複セクタアドレスに対するセクタデータは互いに同一になるように記録し、Ｎ度目の重複セクタアドレス部位に対してセクタアドレスが小さい方からセクタデータを順に読み取った後、Ｎ＋１度目の重複セクタアドレス部位を読み込まず、読み込まなかったＮ＋１度目の重複セクタアドレス部位よりもセクタアドレスが大きい方からＮ＋１度目の重複セクタアドレス部位の先頭側に向かってサーチし、この後、Ｎ＋１度目の重複セクタアドレス部位の先頭側からセクタアドレスが大きい方に向かってセクタデータを順に読み取るステップを有するセクタ読み取りプログラムをユーザデータ領域とは異なる領域に予め記録することを特徴とする情報記録方法。
【発明の効果】
【００５０】
本発明によれば、従来のセクタコピー方式では違法コピーができない情報記録媒体および情報記録方法を提供することができる。
【発明を実施するための最良の形態】
【００５１】
本発明の一実施形態による情報記録媒体のセクタの配置および格納されたセクタデータの構成について、図１を用いて説明する。
【００５２】
図１（ａ）は、本実施形態による情報記録媒体としてのＣＤ−ＲＯＭにおけるセクタ配置とセクタアドレスとの関係を示す説明図である。
【００５３】
図１（ａ）に示すように、複数のセクタは、ディスク内周より外周に向かった螺旋状の記録トラック上で、領域Ｘ部にはセクタアドレスｎ−４，ｎ−３，ｎ−２，ｎ−１，ｎが連番で付与され、領域Ｘ部に続く領域Ｙ部には領域Ｘ部に付与されたセクタアドレスと重複するセクタアドレス ｎ−４，ｎ−３，ｎ−２，ｎ−１，ｎが連番で付与され、さらに、領域Ｙ部に続く領域Ｚ部にはセクタアドレス ｎ＋１，ｎ＋２が付与されている。
【００５４】
ここで、領域Ｘ部に付与されたセクタアドレス ｎ−４からｎまでをＮ度目（但し、Ｎは自然数）に出現した重複セクタアドレス部位とし、領域Ｙ部に付与されたセクタアドレス ｎ−４からｎまでをＮ＋１度目に出現した重複セクタアドレス部位とすると、上記の説明から領域Ｘ部及び領域Ｙ部をディスク内周側に設定した場合に、領域Ｘ部内では例えばＮ＝１番目の重複セクタアドレス部位が出現し、領域Ｙ部内で例えばＮ＝２番目の重複セクタアドレス部位が出現したことになる。
【００５５】
上記に伴って、各セクタには各セクタデータが記録されており、図１（ｂ）に示すように、例えば、領域Ｘ部のセクタアドレスｎ−４，ｎ−３，ｎ−２，ｎ−１，ｎに対応してセクタデータがＸ−４，Ｘ−３，Ｘ−２，Ｘ−１，Ｘの内容で記録され、また、領域Ｙ部のセクタアドレス ｎ−４，ｎ−３，ｎ−２，ｎ−１，ｎに対応してセクタデータがＸ−４，Ｘ−３，Ｙ−２，Ｘ−１，Ｘの内容で記録され、さらに、領域Ｚ部のセクタアドレスｎ＋１，ｎ＋２に対応してセクタデータがＺ＋１，Ｚ＋２の内容で記録されている。
【００５６】
Ｙ部のセクタアドレスｎ−４，ｎ−３，ｎ−１，ｎに対応する領域Ｘ部と同一のセクタデータＸ−４，Ｘ−３，Ｘ−１，Ｘはダミーデータであり、ディスクイメージの生成には用いられない。
【００５７】
このように、本実施形態においては、重複したセクタアドレスｎ−４〜ｎのうち、ｎ−２のみが対応するセクタデータが異なっている。その他の重複したセクタアドレスに対応したセクタデータは互いに同一のデータが記録されている。
【００５８】
このように記録されたＣＤ−ＲＯＭのデータを読み取る際の読み取りプログラムの処理は、特許文献１の読み取り処理とほぼ同様であるため、図１０を引用して詳しい説明は省略する。
【００５９】
この読み取りプログラムの処理によって図１のように記録されたセクタデータが読み取られるときの動作を図２を参照して説明する。
【００６０】
図２（ａ）において読み取り開始アドレスをｎ−４、読み取り終了アドレスをｎ＋２とすると、Ｎ度目の読み取り処理で得られるセクタアドレスは、図２（ｂ）に示すように、ｎ−４，ｎ−３，ｎ−２，ｎ−１，ｎ，ｎ＋１，ｎ＋２であり、このセクタアドレスに対応するセクタデータは、Ｘ−４，Ｘ−３，Ｘ−２，Ｘ−１，Ｘ，Ｚ＋１，Ｚ＋２となる。
【００６１】
また、Ｎ＋１度目の読み取り処理では、セクタデータが異なる重複セクタアドレスであるｎ−２を読み取るためにｎ−２より前のセクタアドレスであるｎ−３またはｎ−４に光ピックアップが移動され、図２（ｃ）に示すように、Ｙ部およびＺ部のｎ−４，ｎ−３，ｎ−２，ｎ−１，ｎ，ｎ＋１，ｎ＋２のセクタデータが読み取られる。このセクタアドレスに対応するセクタデータは、Ｘ−４，Ｘ−３，Ｙ−２，Ｘ−１，Ｘ，Ｚ＋１，Ｚ＋２となる。
【００６２】
正規にＣＤ−ＲＯＭのデータが読み取られる際は、上記のＮ度目に読み取られたセクタデータであるＸ−４，Ｘ−３，Ｘ−２，Ｘ−１，Ｘ，Ｚ＋１，Ｚ＋２と、Ｎ−１度目に読み取られたデータの中のダミーデータ以外の重複セクタアドレスに対応するセクタデータであるＹ−２とからディスクイメージが生成される。
【００６３】
ところが、この読み取り方法を用いてデータをコピーする際には、Ｎ度目とＮ＋１度目の重複セクタのセクタアドレスと対応するセクタデータとを比較すると、セクタアドレスｎ−２のセクタデータのみが異なり、ｎ−４，ｎ−３，ｎ−１，ｎ，ｎ＋１，ｎ＋２のセクタデータが同じであるため、セクタアドレスｎ−２のセクタのみが重複セクタであると誤認識される。
【００６４】
このように認識された重複セクタ部分のデータと重複セクタ以外のユーザデータを合わせることによりＣＤ−ＲＯＭに記録されているデータのディスクイメージが作成されＣＤ−Ｒにコピーされると、図３（ａ）に示すようにｎ−２のみが重複セクタとして配列された構成になる。
【００６５】
図３（ａ）に示すように、ＣＤ−Ｒにコピーされたデータは、領域Ｘ部にはセクタアドレスｎ−２が付与され、領域Ｘ部に続く領域Ｙ部には領域Ｘ部に付与されたセクタアドレスと重複するセクタアドレスｎ−２が付与され、さらに、領域Ｙ部に続く領域Ｚ部にはセクタアドレス ｎ−１，ｎ，ｎ＋１，ｎ＋２が付与された構成になる。
【００６６】
各セクタに記録されているセクタデータは、図３（ｂ）に示すように、領域Ｘ部のセクタアドレスｎ−２に対応してセクタデータがＸ−２の内容で記録され、また、領域Ｙ部のセクタアドレスｎ−２に対応してセクタデータがＹ−２の内容で記録され、また、領域Ｚ部のセクタアドレスｎ−１，ｎ，ｎ＋１，ｎ＋２に対応してセクタデータＸ−１，Ｘ，Ｚ＋１，Ｚ＋２の内容で記録されている。
【００６７】
このように構成されコピーされたＣＤ−Ｒを特許文献１に記載の読み取りプログラムによって読み取り処理が行われたときの動作について図４を参照して説明する。
【００６８】
図４（ａ）において読み取り開始アドレスをｎ−４、読み取り終了アドレスをｎ＋２とすると、Ｎ度目の読み取り処理で得られるセクタアドレスは、図４（ｂ）に示すように、ｎ−４，ｎ−３，ｎ−２，ｎ−１，ｎ，ｎ＋１，ｎ＋２であり、このセクタアドレスに対応するセクタデータは、Ｘ−４，Ｘ−３，Ｘ−２，Ｘ−１，Ｘ，Ｚ＋１，Ｚ＋２となる。
【００６９】
また、Ｎ＋１度目の読み取り処理では、セクタデータが異なる重複セクタアドレスであるｎ−２を読み取るためにｎ−２より前のセクタアドレスであるｎ−３またはｎ−４に光ピックアップが移動されるが、Ｙ部にはセクタアドレスｎ−３、ｎ−４がないためＸ部のセクタアドレスｎ−３またはｎ−４に光ピックアップが移動される。
【００７０】
そのため、図４（ｃ）に示すように、読み取られるセクタアドレスｎ−４，ｎ−３，ｎ−２，ｎ−１，ｎ，ｎ＋１，ｎ＋２に対応するセクタデータは、Ｘ−４，Ｘ−３，Ｘ−２，Ｘ−１，Ｘ，Ｚ＋１，Ｚ＋２となり、ｎ−２のデータをＸ−２と誤って読み取ってしまう。
【００７１】
上記のように、図１０の読み取りプログラムの処理では本実施形態のＣＤ−ＲＯＭを正しく読み取ることができず、違法コピーを防止することができる。
【００７２】
さらに、本実施形態のＣＤ−ＲＯＭは、Ｎ度目のセクタアドレスｎ−２のデータとＮ＋１度目のセクタアドレスｎ−２のデータを比較することにより、コピーされたデータであるどうかの真贋の判定が可能になる。
【００７３】
真贋判定の動作について図５を参照して説明する。
【００７４】
まず、Ｎ度目の重複セクタアドレスであるｎ−２のセクタデータを読み取るために、光ピックアップがｎ−２よりも前のセクタアドレスに移動される（Ｓ１）。
【００７５】
次に、重複セクタアドレスｎ−２のセクタデータがＤnとして読み取られる（Ｓ２）。
【００７６】
次に、Ｎ＋１度目の重複セクタアドレスであるｎ−２のセクタデータを読み取るために、光ピックアップがｎ−２より前のセクタアドレスに移動される（Ｓ３）。
【００７７】
次に、重複セクタアドレスｎ−２のセクタデータがＤn+1として読み取られる（Ｓ４）。
【００７８】
読み取られたデータＤnとＤn+1とが比較され（Ｓ５）、データが異なる場合は（Ｓ５の「YES」）正規のＣＤ−ＲＯＭによるデータであると判定され（Ｓ６）、データが同一である場合は（Ｓ５の「NO」）違法コピーによるデータであると判定される（Ｓ７）。
【００７９】
本実施形態においては、情報記録媒体としてＣＤ−ＲＯＭを用いる場合について説明したが、これには限定されず、ＤＶＤ−ＲＯＭや次世代の超高密度型の情報記録媒体にも適用することができる。
【００８０】
また、本実施形態においては重複セクタアドレスの中で異なるデータが記録されたセクタアドレスの組が１組である場合について説明したが、これには限定されず、２組、３組などでも良い。実際の検証では、コピーされた情報記録媒体から重複セクタを正しく認識することができないセクタアドレスの組数の範囲は１〜１６組であるという結果が得られている。
【図面の簡単な説明】
【００８１】
【図１】（ａ）は本発明の一実施形態による情報記録媒体におけるセクタ配置とセクタアドレスとの関係を示す説明図であり、（ｂ）は本発明の一実施形態による情報記録媒体におけるセクタアドレスと記録されたセクタデータの対応を示す説明図である。
【図２】（ａ）は本発明の一実施形態による情報記録媒体におけるセクタデータの読み取り動作を示す説明図であり、（ｂ）および（ｃ）は本発明の一実施形態による情報記録媒体におけるセクタデータの読み取り結果を示す説明図である。
【図３】（ａ）は本発明の一実施形態による情報記録媒体のデータをコピーしたときのセクタ配置とセクタアドレスとの関係を示す説明図であり、（ｂ）は本発明の一実施形態による情報記録媒体のデータをコピーしたときのセクタアドレスと記録されたセクタデータの対応を示す説明図である。
【図４】（ａ）は本発明の一実施形態による情報記録媒体のデータをコピーしたときのセクタデータの読み取り動作を示す説明図であり、（ｂ）および（ｃ）は本発明の一実施形態による情報記録媒体のデータをコピーしたときのセクタデータの読み取り結果を示す説明図である。
【図５】本発明の一実施形態による情報記録媒体の真贋判定の動作を示すフローチャートである。
【図６】従来の再生専用型ＣＤ−ＲＯＭの代表的なフォーマットであるＭｏｄｅｌ１を適用した場合のセクタ構造を示す模式図である。
【図７】従来の情報記録媒体におけるセクタ配置とセクタアドレスとの関係を示す説明図である。
【図８】従来の情報記録媒体をコピーする動作を示すフローチャートである。
【図９】（ａ）は従来の情報記録媒体におけるセクタ配置とセクタアドレスとの関係を示す説明図であり、（ｂ）は従来の情報記録媒体におけるセクタアドレスと記録されたセクタデータの対応を示す説明図である。
【図１０】従来の情報記録媒体におけるセクタデータを読み取る動作を示すフローチャートである。
【図１１】従来の情報記録媒体におけるセクタデータの読み取り動作を示す説明図であり、（ｂ）および（ｃ）は従来の情報記録媒体におけるセクタデータの読み取り結果を示す説明図である。
【図１】
2007272944.tif 000003
【図２】
2007272944.tif 000004
【図３】
2007272944.tif 000005
【図４】
2007272944.tif 000006
【図５】
2007272944.tif 000007
【図６】
2007272944.tif 000008
【図７】
2007272944.tif 000009
【図８】
2007272944.tif 000010
【図９】
2007272944.tif 000011
【図１０】
2007272944.tif 000012
【図１１】
2007272944.tif 000013